(57)【要約】【課題】自車両が先行車両に過度に近づくことを防止することができる車両制御装置、車両制御方法、および車両制御プログラムを提供することを目的の一つとする。【解決手段】車両制御装置は、車両の周辺状況を認識する周辺状況認識部と、下り勾配を前記車両が走行する場合に、下り勾配に起因する加速を抑制するように前記車両の走行を制御する勾配走行制御部と、前記周辺状況認識部により認識された先行車両に追従するように前記車両の走行を制御する追従走行制御部と、前記勾配走行制御部と前記追従走行制御部とを、それぞれオン状態またはオフ状態に切り替える指示を受け付ける受付部と、を備え、前記受付部により、前記勾配走行制御部と前記追従走行制御部との双方についてオン状態とする指示が受け付けられている場合、前記追従走行制御部の作動を優先する。【選択図】図１
2018075900.tif 000002
【特許請求の範囲】
【請求項１】
車両の周辺状況を認識する周辺状況認識部と、
下り勾配を前記車両が走行する場合に、下り勾配に起因する加速を抑制するように前記車両の走行を制御する勾配走行制御部と、
前記周辺状況認識部により認識された先行車両に追従するように前記車両の走行を制御する追従走行制御部と、
前記勾配走行制御部と前記追従走行制御部とを、それぞれオン状態またはオフ状態に切り替える指示を受け付ける受付部と、を備え、
前記受付部により、前記勾配走行制御部と前記追従走行制御部との双方についてオン状態とする指示が受け付けられている場合、前記追従走行制御部の作動を優先する、
車両制御装置。
【請求項２】
前記追従走行制御部は、先行車両が存在しない場合は、所定速度を維持するように前記車両の走行を制御し、
前記先行車両が存在しない場合は、前記勾配走行制御部の作動を優先する、
請求項１記載の車両制御装置。
【請求項３】
前記先行車両が存在する状態において、前記車両が前記先行車両に追従しているときの車速が前記勾配走行制御部による制御が行われる上限速度以下である状態から、前記先行車両が存在しない状態に変化した後に、前記勾配走行制御部と前記追従走行制御部との双方についてオン状態とする指示が受け付けられている場合、前記勾配走行制御部の作動を優先する、
請求項２記載の車両制御装置。
【請求項４】
前記追従走行制御部の作動を優先する場合、前記追従走行制御部の作動を優先することを示す情報を情報出力部に出力させる制御部を、更に備える、
請求項１から３のうちいずれか１項記載の車両制御装置。
【請求項５】
車載コンピュータが、
下り勾配を車両が走行する場合に、下り勾配に起因する加速を抑制するように前記車両の走行を制御する勾配走行制御部と前記車両の周辺状況を認識する周辺状況認識部により認識された先行車両に追従するように前記車両の走行を制御する追従走行制御部とを、それぞれオン状態またはオフ状態に切り替える指示を受け付け、
前記受け付けた指示により、前記勾配走行制御部と前記追従走行制御部との双方についてオン状態とする指示が受け付けられている場合、前記追従走行制御部の作動を優先する、
車両制御方法。
【請求項６】
車載コンピュータに、
下り勾配を車両が走行する場合に、下り勾配に起因する加速を抑制するように前記車両の走行を制御する勾配走行制御部と前記車両の周辺状況を認識する周辺状況認識部により認識された先行車両に追従するように前記車両の走行を制御する追従走行制御部とを、それぞれオン状態またはオフ状態に切り替える指示を受け付けさせ、
前記受け付けた指示により、前記勾配走行制御部と前記追従走行制御部との双方についてオン状態とする指示が受け付けられている場合、前記追従走行制御部の作動を優先させる、
車両制御プログラム。
【発明の詳細な説明】
【技術分野】
【０００１】
本発明は、車両制御装置、車両制御方法、および車両制御プログラムに関する。
【背景技術】
【０００２】
近年、運転者の運転を支援する技術が開発されている。例えば、車の加速に対して車輪のスリップの影響を低下させるように車両を制御するオフロード速度制御や、下り勾配時に車両の惰性速度を抑制するヒルディセントコントロール（ＨＤＣ；Hill Descent Control）制御、低速域で先行車両に自動追従（ＬＳＦ；Low Speed Following）制御などが、運転を支援する技術として知られている。これに関連し、オフロード速度制御およびＨＤＣ制御が搭載された車両において、オフロード速度制御より、ＨＤＣ制御を優先する技術が開示されている（例えば、特許文献１）。
【先行技術文献】
【特許文献】
【０００３】
【特許文献１】特表２０１５−５２６６３７号公報
【発明の概要】
【発明が解決しようとする課題】
【０００４】
しかしながら、上記特許文献１では、ＬＳＦ制御およびＨＤＣ制御が搭載された車両については開示されていない。このため、ＬＳＦ制御およびＨＤＣ制御が搭載された車両において、自車両が先行車両に過度に近づいてしまう可能性があった。
本発明は、このような事情を考慮してなされたものであり、自車両が先行車両に過度に近づくことを防止することができる車両制御装置、車両制御方法、および車両制御プログラムを提供することを目的の一つとする。
【課題を解決するための手段】
【０００５】
請求項１記載の発明は、車両の周辺状況を認識する周辺状況認識部（２２）と、下り勾配を前記車両が走行する場合に、下り勾配に起因する加速を抑制するように前記車両の走行を制御する勾配走行制御部（２６）と、前記周辺状況認識部により認識された先行車両に追従するように前記車両の走行を制御する追従走行制御部（２８）と、前記勾配走行制御部と前記追従走行制御部とを、それぞれオン状態またはオフ状態に切り替える指示を受け付ける受付部（３０、３２）と、を備え、前記受付部により、前記勾配走行制御部と前記追従走行制御部との双方についてオン状態とする指示が受け付けられている場合、前記追従走行制御部の作動を優先する車両制御装置である。
【０００６】
請求項２記載の発明は、請求項１記載の車両制御装置であって、前記追従走行制御部は、前記先行車両が存在しない場合は、所定速度を維持するように前記車両の走行を制御し、先行車両が存在しない場合は、前記勾配走行制御部の作動を優先するものである。
【０００７】
請求項３記載の発明は、請求項２記載の車両制御装置であって、前記先行車両が存在する状態において、前記車両が前記先行車両に追従しているときの車速が前記勾配走行制御部による制御が行われる上限速度以下である状態から、前記先行車両が存在しない状態に変化した後に、前記勾配走行制御部と前記追従走行制御部との双方についてオン状態とする指示が受け付けられている場合、前記勾配走行制御部の作動を優先するものである。
【０００８】
請求項４記載の発明は、請求項１から３のうちいずれか１項記載の車両制御装置であって、前記追従走行制御部の作動を優先する場合、前記追従走行制御部の作動を優先することを示す情報を情報出力部に出力させる制御部（３０）を、更に備えるものである。
【０００９】
請求項５記載の発明は、車載コンピュータが、下り勾配を車両が走行する場合に、下り勾配に起因する加速を抑制するように前記車両の走行を制御する勾配走行制御部と前記車両の周辺状況を認識する周辺状況認識部により認識された先行車両に追従するように前記車両の走行を制御する追従走行制御部とを、それぞれオン状態またはオフ状態に切り替える指示を受け付け、前記受け付けた指示により、前記勾配走行制御部と前記追従走行制御部との双方についてオン状態とする指示が受け付けられている場合、前記追従走行制御部の作動を優先する車両制御方法である。
【００１０】
請求項６記載の発明は、車載コンピュータに、下り勾配を車両が走行する場合に、下り勾配に起因する加速を抑制するように前記車両の走行を制御する勾配走行制御部と前記車両の周辺状況を認識する周辺状況認識部により認識された先行車両に追従するように前記車両の走行を制御する追従走行制御部とを、それぞれオン状態またはオフ状態に切り替える指示を受け付けさせ、前記受け付けた指示により、前記勾配走行制御部と前記追従走行制御部との双方についてオン状態とする指示が受け付けられている場合、前記追従走行制御部の作動を優先させる車両制御プログラムである。
【発明の効果】
【００１１】
請求項１、５または６記載の発明によれば、前記勾配走行制御部と前記追従走行制御部との両方がオン状態の指示が受け付けられている場合は、前記追従走行制御部の作動を優先することにより、自車両が先行車両に過度に近づくことを防止することができる。
【００１２】
請求項２または３記載の発明によれば、先行車両が存在しない場合は、前記勾配走行制御部の作動が優先されるため、下り勾配を意識した走行をすることができる。
【００１３】
請求項４記載の発明によれば、追従走行制御部の作動を優先する場合、追従走行制御部の作動を優先することを示す情報が出力されることにより、車両の乗員に優先する制御の内容を通知することができる。
【図面の簡単な説明】
【００１４】
【図１】車両制御システム１の機能構成の一例を示す図である。
【図２】統合制御部３０により実行される処理の流れを示すフローチャートである。
【図３】第２の実施形態の統合制御部３０により実行される処理の流れを示すフローチャートである。
【図４】第２の実施形態の変形例における車両制御装置２０により実行される処理の流れを示すフローチャートである。
【図５】第３の実施形態の車両制御システム１Ａの機能構成の一例を示す図である。
【発明を実施するための形態】
【００１５】
以下、図面を参照し、本発明の車両制御装置、車両制御方法、および車両制御プログラムの実施形態について説明する。
【００１６】
＜第１の実施形態＞
図１は、車両制御システム１の機能構成の一例を示す図である。車両制御システム１は、例えば、レーダ装置１０、カメラ１２、車速センサ１４、加速度センサ１６、ＨＤＣ起動スイッチ１８Ａ、ＬＳＦ起動スイッチ１８Ｂ、車両制御装置２０、走行駆動装置４０、ブレーキ装置４２、および情報出力部４４を備える。
【００１７】
レーダ装置１０は、例えば、車両制御システム１が搭載された車両（以下、自車両）のバンパーや、フロントグリル等の周辺に設けられる。レーダ装置１０は、例えば、自車両の前方にミリ波を放射し、放射したミリ波が物体に当たって反射した反射波を受信する。以下、物体は、先行車両であるものとして説明する。先行車両とは、自車両と同じ車線において自車両の直前を走行する車両または自車両の直前に停車している車両であって、自車両から所定距離以内に存在する車両である。レーダ装置１０は、受信した反射波を解析することにより、先行車両の位置を特定する。先行車両の位置は、例えば自車両から先行車両までの距離を少なくとも含み、その他、自車両に対する先行車両の方位や横位置等を含んでもよい。レーダ装置１０は、例えばＦＭ−ＣＷ（Frequency−Modulated Continuous Wave）方式によって先行車両の位置を検出し、検出結果を車両制御装置２０に出力する。
【００１８】
カメラ１２は、ＣＣＤ（Charge Couple Device）やＣＭＯＳ（Complementary Metal Oxide Semiconductor）等の固体撮像素子を利用したデジタルカメラである。カメラ１２は、フロントウインドシールド上部やルームミラー裏面等に取り付けられる。カメラ１２は、例えば、周期的に繰り返し自車両の前方を撮像する。カメラ１２は、撮像した画像を車両制御装置２０に出力する。カメラ１２は、１台に限らず、自車両に複数設けられてもよいし、複数のカメラを含むステレオカメラであってもよい。
【００１９】
車速センサ１４は、自車両の各車輪に取り付けられ車輪の回転速度を検出する車輪速センサと、車輪速センサにより検出された検出値を統合して車速信号を生成するコントローラとを含む。車速センサ１４は、自車両の走行速度を検出し、検出した走行速度を示す車速信号を車両制御装置２０に出力する。
【００２０】
加速度センサ１６は、例えば、三軸式の加速度センサである。加速度センサ１６は、検出した加速度を車両制御装置２０に出力する。また、加速度センサ１６は、二軸式の加速度センサであってもよい。
【００２１】
ＨＤＣ起動スイッチ１８Ａは、例えば、運転席周辺に設けられた専用の機械式スイッチである。また、ＨＤＣ起動スイッチ１８Ａは、ＧＵＩ（Graphical User Interface）スイッチなどであってもよい。ＨＤＣ起動スイッチ１８Ａは、ＨＤＣ制御をオン状態にするか、オフ状態にするかの指示を車両乗員から受け付け、受け付けた指示を示す情報を車両制御装置２０に出力する。例えば、ＨＤＣ起動スイッチ１８Ａは、ＨＤＣ制御をオン状態にすることが指示された場合、ＨＤＣ制御をオン状態にするＨＤＣオン信号を車両制御装置２０に出力する。
【００２２】
ＬＳＦ起動スイッチ１８Ｂは、例えば、運転席周辺に設けられた専用の機械式スイッチである。また、ＬＳＦ起動スイッチ１８Ｂは、ＧＵＩスイッチなどであってもよい。ＬＳＦ起動スイッチ１８Ｂは、ＬＳＦ制御をオン状態にするか、オフ状態にするかの指示を車両乗員から受け、受け付けた指示を示す情報を車両制御装置２０に出力する。例えば、ＬＳＦ起動スイッチ１８Ｂは、ＬＳＦ制御をオン状態にすることが指示された場合、ＬＳＦ制御をオン状態にするＬＳＦオン信号を車両制御装置２０に出力する。
【００２３】
車両制御装置２０は、例えば、周辺状況認識部２２、勾配導出部２４、勾配走行制御部２６、追従走行制御部２８、および統合制御部３０を備える。周辺状況認識部２２、勾配導出部２４、勾配走行制御部２６、追従走行制御部２８、および統合制御部３０のうち、一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。また、車両制御装置２０に含まれる各機能部は、複数のコンピュータ装置によって分散化されたものであってもよい。
【００２４】
周辺状況認識部２２は、レーダ装置１０の検出結果を取得し、取得した結果に基づいて、先行車両の位置や速度等を認識する。また、周辺状況認識部２２は、カメラ１２により撮像された画像を取得し、取得した画像を解析することにより、先行車両の位置や速度等を認識してもよい。更に、周辺状況認識部２２は、レーダ装置１０によって特定された先行車両の位置のうち自車両からの距離を重視すると共に、カメラ１２により撮像された画像解析によって特定された位置のうち方位または横位置を重視する傾向で、これらの位置を統合し、物体の位置を認識してもよい。
【００２５】
また、レーダ装置１０に代えて（または、加えて）レーザレーダ、超音波センサ等のセンサを備えてもよい。また、周辺状況認識部２２は、車車間通信や、道路を走行する車両を検出するセンサから取得した情報に基づいて、先行車両の位置や速度等を検出してもよい。この場合、自車両は、他の車両や、道路を走行する車両を検出するセンサ等と通信する通信部を備える。
【００２６】
勾配導出部２４は、自車両が存在する場所の勾配を導出する。例えば、勾配導出部２４は、加速度センサ１６により出力された加速度から、車速センサ１４により検出される車速を微分して得られる進行方向の加速度等を差し引いて求められる、静止状態の加速度に基づいて、路面の勾配を導出する。
【００２７】
勾配走行制御部２６は、下り勾配を自車両が走行する場合に、下り勾配に起因する加速を抑制するように自車両の走行を制御する。以下、このような制御をＨＤＣ（Hill Descent Control）制御と称する。ＨＤＣ制御とは、下り勾配を自車両が走行する場合にブレーキ装置４２を制御することにより、運転者がアクセルペダルおよびブレーキペダルを操作していないときの車速を維持する制御である。例えば、勾配走行制御部２６によって車両が制御されるときの車速は、アクセルペダルまたはブレーキペダルが運転者によって操作されることにより変更される。例えば、運転者が、アクセルペダルを操作して車速を上昇させた後、アクセルペダルの操作をやめると、その時点の車速で自車両は定速走行する。
【００２８】
追従走行制御部２８は、周辺状況認識部２２により認識された先行車両に追従するように自車両の走行を制御する。以下、このような制御をＬＳＦ（Low Speed Following）制御と称する。ＬＳＦ制御とは、自車両と先行車両との車間距離を一定に維持しながら走行すると共に、先行車両が低速走行または停止状態となったときには自車両を運転者の操作に依らずに自動的に停止させる制御である。追従走行制御部２８は、周辺状況認識部２２の認識結果に基づいて、走行駆動装置４０またはブレーキ装置４２のうち一方または双方を制御する。
【００２９】
統合制御部３０は、受付部３２を含む。受付部３２は、勾配走行制御部２６と追従走行制御部２８とを、それぞれオン状態またはオフ状態に切り替える指示を受け付ける。受付部３２は、ＨＤＣ起動スイッチ１８ＡまたはＬＳＦ起動スイッチ１８Ｂの少なくとも一方から入力された信号を取得することで、運転者によって実行された入力操作に応じた指示を受け付ける。特許請求の範囲における「受付部」は、受付部３２を指すものであってもよいし、ＨＤＣ起動スイッチ１８ＡおよびＬＳＦ起動スイッチ１８Ｂを指すものであってもよい。
【００３０】
統合制御部３０は、受付部３２に対し、ＨＤＣオン信号が入力されており、ＬＳＦオン信号が入力されていない場合、ＨＤＣ制御をオン状態にする。統合制御部３０は、受付部３２に対し、ＬＳＦオン信号が入力されており、ＨＤＣオン信号が入力されていない場合、ＬＳＦ制御をオン状態にする。統合制御部３０は、受付部３２に対し、ＨＤＣオン信号とＬＳＦオン信号の双方が入力されている場合、ＬＳＦ制御をオン状態にし、ＨＤＣ制御をオフ状態にする。
【００３１】
走行駆動装置４０は、例えば、エンジンや、走行用モータなどの駆動源である。走行駆動装置４０は、車両制御装置２０により出力された制御量に応じて、自車両が走行するためのトルクを駆動輪に出力する。
【００３２】
ブレーキ装置４２は、例えば、電動モータを備える。電動モータは、例えば、車両制御装置２０により出力される制御量に応じて、制動操作に応じたブレーキトルクを各車輪に出力させる。
【００３３】
情報出力部４４は、車両乗員によって視認可能な位置に設けられた表示部や、スピーカ等である。表示部は、情報を画像として表示する。表示部は、例えばＬＣＤ（Liquid Crystal Display）や、有機ＥＬ（Electroluminescence）表示装置等を含む。スピーカは、情報を音声として出力する。
【００３４】
図２は、統合制御部３０により実行される処理の流れを示すフローチャートである。本フローチャートの処理は、例えば、所定周期で繰り返し実行される。まず、統合制御部３０は、ＬＳＦ起動スイッチ１８ＢからＬＳＦオン信号を受け付けているか否かを判定する（ステップＳ１００）。
【００３５】
ＬＳＦ起動スイッチ１８ＢからＬＳＦオン信号を受け付けている場合、統合制御部３０は、ＬＳＦ制御をオン状態にし、ＬＳＦ制御に基づいて走行駆動装置４０またはブレーキ装置４２を制御する。（ステップＳ１０２）。ＬＳＦ起動スイッチ１８ＢからＬＳＦオン信号を受け付けていない場合、統合制御部３０は、ＨＤＣ起動スイッチ１８ＡからＨＤＣオン信号を受け付けているか否かを判定する（ステップＳ１０４）。
【００３６】
ＨＤＣ起動スイッチ１８ＡからＨＤＣオン信号を受け付けている場合、統合制御部３０は、ＨＤＣ制御をオン状態にし、ＨＤＣ制御に基づいてブレーキ装置４２を制御する（ステップＳ１０６）。ＨＤＣ起動スイッチ１８ＡからＨＤＣオン信号を受け付けていない場合、自車両は、アクセルペダルや、ブレーキペダル等に対して車両乗員によって行われる操作に基づいて制御される。これにより本フローチャートの１ルーチンの処理は終了する。
【００３７】
なお、統合制御部３０は、例えば、ＨＤＣ起動スイッチ１８ＡからＨＤＣオン信号を受け付けたにも関わらず、ＬＳＦ制御を優先するためＨＤＣ制御を実行しない場合、その旨（ＬＳＦ制御優先のためＨＤＣ制御を実行しないこと）を示す情報を情報出力部４４に出力させてよい。
【００３８】
ここで、例えば、ＬＳＦ制御よりＨＤＣ制御を優先する場合を考える。この場合、ＨＤＣ制御は、先行車両を考慮しない制御であるため、自車両は先行車両に近づいても減速せず、過度に自車両が先行車両に近づいたり、自車両が先行車両に接触したりする場合がある。
【００３９】
これに対して、本実施形態の車両制御システム１は、ＨＤＣ制御よりＬＳＦ制御を優先する。この場合、ＬＳＦ制御は、先行車両を考慮する制御であり、自車両は先行車両に対して追従するように走行するため、自車両は、先行車両に対して所定の車間距離を維持して走行する。このため、過度に自車両が先行車両に近づいたり、自車両が先行車両に接触したりすることを防止することができる。もとより、先行車両は、下り勾配であれば、それを考慮して走行している筈であり、先行車両に追従することによって、実質的に下り勾配を意識した走行をすることができる。
【００４０】
以上説明した第１の実施形態の車両制御システム１によれば、勾配走行制御部２６と追従走行制御部２８との双方についてオン状態とする指示が受け付けられている場合、追従走行制御部２８の作動を優先することにより、自車両が先行車両に過度に近づくことを防止することができる。
【００４１】
なお、上述した実施形態では、統合制御部３０が、取得したオン信号に基づいて、ＬＳＦ制御とＨＤＣ制御とのいずれか一方をオン状態にするものとして説明したが、例えば、勾配走行制御部２６および追従走行制御部２８は、常時オン状態が維持され、統合制御部３０が、取得したオン信号に基づいて、勾配走行制御部２６と追従走行制御部２８とのいずれか一方から出力された制御指示を、選択的に走行駆動装置４０またはブレーキ装置４２の少なくとも一方に出力するようにしてもよい。
【００４２】
また、上述した実施形態では、統合制御部３０が、ＬＳＦオン信号の入力を監視し、ＬＳＦ制御とＨＤＣ制御とのいずれか一方をオン状態にするものとして説明したが、例えば、勾配走行制御部２６が、ＬＳＦオン信号の入力を監視し、ＬＳＦオン信号が入力された場合に自発的に動作を停止するようにしてもよい。また、勾配走行制御部２６が、追従走行制御部２８の作動状態を監視し、追従走行制御部２８がＬＳＦ制御を開始したタイミングで自発的に動作を停止するようにしてもよい。
【００４３】
＜第２の実施形態＞
以下、第２の実施形態について説明する。第１の実施形態では、先行車両の存在に関わらずＬＳＦ制御を優先するものとした。これに対して、第２の実施形態では、先行車両が存在しない場合は、統合制御部３０は、勾配走行制御部２６の制御を優先する。ここでは、第１の実施形態との相違点を中心に説明し、第１の実施形態と共通する機能等についての説明は省略する。
【００４４】
第２の実施形態の追従走行制御部２８は、先行車両が存在しない場合、所定速度を維持するように自車両の走行を制御する。追従走行制御部２８は、所定速度を維持させるための制御量を走行駆動装置４０またはブレーキ装置４２に出力する。
【００４５】
統合制御部３０は、先行車両が存在する場合、第１の実施形態と同様にＬＳＦ制御を優先する。一方、統合制御部３０は、先行車両が存在しない場合、ＨＤＣ制御を優先する。
【００４６】
図３は、第２の実施形態の統合制御部３０により実行される処理の流れを示すフローチャートである。本フローチャートの処理は、例えば、所定周期で繰り返し実行される。まず、統合制御部３０は、先行車両が存在するか否かを判定する（ステップＳ２００）。先行車両が存在する場合、統合制御部３０は、先行車両存在時の処理（図２のフローチャートのステップＳ１００からステップＳ１０６までの処理）を実行する（ステップＳ２０２）。
【００４７】
先行車両が存在しない場合、統合制御部３０は、ＨＤＣ起動スイッチ１８ＡからＨＤＣオン信号を受け付けているか否かを判定する（ステップＳ２０４）。ＨＤＣ起動スイッチ１８ＡからＨＤＣオン信号を受け付けている場合、統合制御部３０は、ＨＤＣ制御をオン状態にし、ＨＤＣ制御に基づいてブレーキ装置４２を制御する（ステップＳ２０６）。ＨＤＣ起動スイッチ１８ＡからＨＤＣオン信号を受け付けていない場合、統合制御部３０は、ＬＳＦ起動スイッチ１８ＢからＬＳＦオン信号を受け付けているか否かを判定する（ステップＳ２０８）。ＬＳＦ起動スイッチ１８ＢからＬＳＦオン信号を受け付けている場合、統合制御部３０は、ＬＳＦ制御をオン状態にし、ＬＳＦ制御に基づいて、自車両が所定速度で走行するように走行駆動装置４０またはブレーキ装置４２を制御する（ステップＳ２１０）。ＬＳＦ起動スイッチ１８ＢからＬＳＦオン信号を受け付けていない場合、自車両は、アクセルペダルや、ブレーキペダル等に対して車両乗員によって行われる操作に基づいて制御される。これにより本フローチャートの１ルーチンの処理は終了する。
【００４８】
本実施形態の車両制御システム１は、先行車両が存在する場合には、ＨＤＣ制御よりＬＳＦ制御を優先し、先行車両が存在しない場合には、ＬＳＦ制御よりＨＤＣ制御を優先する。これにより、先行車両が存在しない場合、自車両は、下り勾配に起因する加速を抑制するように自車両の走行を制御する。この結果、車両制御システム１は、下り勾配を意識した走行をすることができる。
【００４９】
以上説明した第２の実施形態の車両制御システム１によれば、先行車両が存在しない場合、勾配走行制御部２６の作動を優先することにより、下り勾配を意識した走行をすることができる。
【００５０】
＜第２の実施形態の変形例＞
以下、第２の実施形態の変形例について説明する。第２の実施形態では、先行車両が存在しない場合、統合制御部３０は、自車両の速度に関わらずＨＤＣ制御を優先するものとした。これに対して、統合制御部３０は、先行車両が存在しない場合、自車両の速度がＨＤＣ制御の上限速度以下の場合に、ＨＤＣ制御を優先する。ここでは、第２の実施形態との相違点を中心に説明し、第２の実施形態と共通する機能等についての説明は省略する。
【００５１】
この第２の実施形態の変形例の前提として、ＨＤＣ制御は、上限速度Ｖ１以下で実行される。第２の実施形態では、ＬＳＦ制御およびＨＤＣ制御の双方についてオン状態とする指示が受け付けられている場合において先行車両が居なくなった場合、ＬＳＦ制御からＨＤＣ制御に切り替わる場合があった。しかしながら、上記の前提の下では、自車両の速度がＨＤＣ制御の上限速度Ｖ１を超えた状態で先行車両が居なくなった場合、そもそもＨＤＣ制御を実施することができない。このため、この第２の実施形態の変形例では、ＬＳＦ制御およびＨＤＣ制御の双方についてオン状態とする指示が受け付けられている場合において先行車両が居なくなった場合、自車両の速度が上限速度Ｖ１を超える場合には、ＨＤＣ制御を優先せず、ＬＳＦ制御を実行する。換言すると、統合制御部３０は、ＬＳＦ制御およびＨＤＣ制御の双方についてオン状態とする指示が受け付けられている場合において先行車両が居なくなった場合、それまでの自車両の速度が上限速度Ｖ１以下である場合に、ＨＤＣ制御を優先する。これによって、そもそもＨＤＣ制御を実施できない速度でＨＤＣ制御に切り替えようとするのを防止することで、制御にハンチングなどが生じるのを防止することができる。
【００５２】
図４は、第２の実施形態の変形例における車両制御装置２０に実行される処理の流れを示すフローチャートである。まず、統合制御部３０は、先行車両が存在するか否かを判定する（ステップＳ３００）。先行車両が存在する場合、統合制御部３０は、先行車両存在時の処理（図２のフローチャートのステップＳ１００からステップＳ１０６までの処理）を実行する（ステップＳ３０２）。
【００５３】
先行車両が存在しない場合、統合制御部３０は、ＨＤＣ起動スイッチ１８ＡからＨＤＣオン信号を受け付けているか否かを判定する（ステップＳ３０４）。ＨＤＣ起動スイッチ１８ＡからＨＤＣオン信号を受け付けていない場合、ステップＳ３１０の処理に進む。ＨＤＣ起動スイッチ１８ＡからＨＤＣオン信号を受け付けている場合、統合制御部３０は、自車両の速度がＨＤＣ制御の上限速度Ｖ１を超えるか否かを判定する（ステップＳ３０６）。自車両の速度が上限速度Ｖ１以下である場合、統合制御部３０は、ＨＤＣ制御をオン状態にし、ＨＤＣ制御に基づいてブレーキ装置４２を制御する（ステップＳ３０８）。
【００５４】
自車両の速度が上限速度Ｖ１を超える場合、統合制御部３０は、ＬＳＦ起動スイッチ１８ＢからＬＳＦオン信号を受け付けているか否かを判定する（ステップＳ３１０）。ＬＳＦ起動スイッチ１８ＢからＬＳＦオン信号を受け付けている場合、統合制御部３０は、ＬＳＦ制御をオン状態にし、ＬＳＦ制御に基づいて、自車両が上限速度Ｖ１を超える所定速度で走行するように走行駆動装置４０またはブレーキ装置４２を制御する（ステップＳ３１２）。ＬＳＦ起動スイッチ１８ＢからＬＳＦオン信号を受け付けていない場合、自車両は、アクセルペダルや、ブレーキペダル等に対して車両乗員によって行われる操作に基づいて制御される。これにより本フローチャートの１ルーチンの処理は終了する。
【００５５】
以上説明した第２の実施形態の変形例における車両制御システム１によれば、自車両の速度がＨＤＣ制御の上限速度以下の場合に、ＨＤＣ制御を優先することにより、そもそもＨＤＣ制御を実施できない速度でＨＤＣ制御に切り替えようとするのを防止することで、制御にハンチングなどが生じるのを防止することができる。
【００５６】
＜第３の実施形態＞
以下、第３の実施形態について説明する。第１の実施形態では、ＬＳＦ制御およびＨＤＣ制御を実行する車両制御装置２０が車両に搭載され、運転者の運転を支援するものとして説明した。これに対して、第３の実施形態の車両制御システム１Ａは、自動運転制御装置５０が搭載され、車両制御システム１Ａが、自車両の速度制御または操舵制御の少なくとも一方を自動的に行う自動運転を実施する。ここでは、第１の実施形態との相違点を中心に説明し、第１の実施形態と共通する機能等についての説明は省略する。
【００５７】
図５は、第３の実施形態の車両制御システム１Ａの機能構成の一例を示す図である。車両制御システム１Ａは、レーダ装置１０、カメラ１２、車速センサ１４、加速度センサ１６、ＨＤＣ起動スイッチ１８Ａ、ＬＳＦ起動スイッチ１８Ｂ、走行駆動装置４０、ブレーキ装置４２、および情報出力部４４に加え、更に自動運転制御装置５０、および自動運転切替スイッチ８０を備える。自動運転制御装置５０は、例えば、記憶部５２、目標車線決定部５４、および自動運転制御部６０を含む。記憶部５２には、例えば、高精度地図情報、目標車線情報、行動計画情報などの情報が格納される。記憶部５２は、ＲＯＭ（Read Only Memory）やＲＡＭ（Random Access Memory）、ＨＤＤ（Hard Disk Drive）、フラッシュメモリ等で実現される。車両制御システム１Ａに含まれるプロセッサが実行するプログラムは、予め記憶部５２に格納されていてもよいし、車載インターネット設備等を介して外部装置からダウンロードされてもよい。
【００５８】
目標車線決定部５４は、例えば、ＭＰＵ（Micro-Processing Unit）などにより実現される。目標車線決定部５４は、ナビゲーション装置から提供された経路を複数のブロックに分割し（例えば、車両進行方向に関して１００［ｍ］毎に分割し）、高精度地図情報を参照してブロックごとに目標車線を決定する。目標車線決定部５４は、例えば、左から何番目の車線を走行するといった決定を行う。目標車線決定部５４は、例えば、経路において分岐箇所や合流箇所などが存在する場合、自車両が、分岐先に進行するための合理的な走行経路を走行できるように、目標車線を決定する。目標車線決定部５４により決定された目標車線は、目標車線情報として記憶部５２に記憶される。
【００５９】
自動運転制御部６０は、例えば、認識部６２と、行動計画生成部６４と、軌道生成部６６と、走行制御部６８、切替制御部７０とを備える。
【００６０】
認識部６２は、走行車線に対する自車両の相対位置を認識し、認識した相対位置を目標車線決定部５４に提供する。また、認識部６２は、レーダ装置１０およびカメラ１２から入力される情報に基づいて、自車両の周辺に存在する周辺車両の位置や、速度、加速度等を認識する。
【００６１】
行動計画生成部６４は、自動運転のスタート地点、および／または自動運転の目的地を設定する。行動計画生成部６４は、そのスタート地点と自動運転の目的地との間の区間において、行動計画を生成する。行動計画は、例えば、順次実行される複数のイベントで構成される。イベントには、例えば、自車両を減速させる減速イベントや、自車両を加速させる加速イベント、走行車線を逸脱しないように自車両を走行させるレーンキープイベント、走行車線を変更させる車線変更イベント、先行車両を追従するイベント等が含まれる。行動計画生成部６４によって生成された行動計画を示す情報は、行動計画情報として記憶部５２に格納される。
【００６２】
軌道生成部６６は、定速走行、追従走行、低速追従走行、減速走行、カーブ走行、障害物回避走行、車線変更走行、合流走行、分岐走行などのうちいずれかの走行態様を決定し、決定した走行態様に基づいて、軌道の候補を生成する。軌道生成部６６は、例えば、将来の所定時間ごとに、自車両の基準位置（例えば重心や後輪軸中心）が到達すべき目標位置（軌道点）の集まりとして軌道を生成する。軌道生成部６６は、前述した第１または第２の実施形態の車両制御装置２０と同様の機能を包含している。すなわち、認識部６２により下り坂であることが認識されている場合、軌道生成の一機能として、ＨＤＣ制御、ＬＳＦ制御を統合制御部３０の機能によって切り替えて実行する。この場合、認識部６２が存在するため、周辺状況認識部２２は省略されてよい。
【００６３】
走行制御部６８は、軌道生成部６６によって生成された軌道を、予定の時刻通りに自車両が通過するように、走行駆動装置４０またはブレーキ装置４２を制御する。切替制御部７０は、自動運転切替スイッチ８０から入力される信号に基づいて自動運転モードと手動運転モードとを相互に切り替える。
【００６４】
以上説明した第３の実施形態の車両制御システム１Ａによれば、第１の実施形態の効果を奏すると共に、自動運転モードが設定されている場合には、自車両は自律して走行するため、利用者の利便性がより向上する。
【００６５】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００６６】
１、１Ａ‥車両制御システム、１０‥レーダ装置、１２‥カメラ、１４‥車速センサ、１６‥加速度センサ、１８Ａ‥ＨＤＣ起動スイッチ、１８Ｂ…ＬＳＦ起動スイッチ、２０‥車両制御装置、２２‥周辺状況認識部、２４‥勾配導出部、２６‥勾配走行制御部、２８‥追従走行制御部、３０‥統合制御部、３２…受付部、４０‥走行駆動装置、４２…ブレーキ装置
【図１】
2018075900.tif 000003
【図２】
2018075900.tif 000004
【図３】
2018075900.tif 000005
【図４】
2018075900.tif 000006
【図５】
2018075900.tif 000007
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
車両の周辺状況を認識する周辺状況認識部と、
下り勾配を前記車両が走行する場合に、下り勾配に起因する加速を抑制するように前記車両の走行を制御する勾配走行制御部と、
前記周辺状況認識部により認識された先行車両に追従するように前記車両の走行を制御する追従走行制御部と、
前記勾配走行制御部および前記追従走行制御部の作動をオン状態またはオフ状態に切り替える指示を受け付ける受付部と、を備え、
前記受付部により、前記勾配走行制御部および前記追従走行制御部の作動についてオン状態とする指示が受け付けられている場合、前記追従走行制御部の作動を優先する、
車両制御装置。
【請求項２】
前記追従走行制御部は、先行車両が存在しない場合は、所定速度を維持するように前記車両の走行を制御し、
前記先行車両が存在しない場合は、前記勾配走行制御部の作動を優先する、
請求項１記載の車両制御装置。
【請求項３】
前記先行車両が存在する状態において、前記車両が前記先行車両に追従しているときの車速が前記勾配走行制御部による制御が行われる上限速度以下である状態から、前記先行車両が存在しない状態に変化した後に、前記勾配走行制御部および前記追従走行制御部の作動についてオン状態とする指示が受け付けられている場合、前記勾配走行制御部の作動を優先する、
請求項２記載の車両制御装置。
【請求項４】
前記追従走行制御部の作動を優先する場合、前記追従走行制御部の作動を優先することを示す情報を情報出力部に出力させる制御部を、更に備える、
請求項１から３のうちいずれか１項記載の車両制御装置。
【請求項５】
前記受付部は、前記勾配走行制御部の作動と前記追従走行制御部の作動とを、それぞれオン状態またはオフ状態に切り替える指示を受け付け、
前記受付部により、前記勾配走行制御部の作動と前記追従走行制御部の作動との双方についてオン状態とする指示が受け付けられている場合、前記追従走行制御部の作動を優先する、
請求項１から４のうちいずれか1項に記載の車両制御装置。
【請求項６】
車載コンピュータが、
下り勾配を車両が走行する場合に、下り勾配に起因する加速を抑制するように前記車両の走行を制御する勾配走行制御部および前記車両の周辺状況を認識する周辺状況認識部により認識された先行車両に追従するように前記車両の走行を制御する追従走行制御部の作動をオン状態またはオフ状態に切り替える指示を受け付け、
前記受け付けた指示により、前記勾配走行制御部および前記追従走行制御部の作動についてオン状態とする指示が受け付けられている場合、前記追従走行制御部の作動を優先する、
車両制御方法。
【請求項７】
車載コンピュータに、
下り勾配を車両が走行する場合に、下り勾配に起因する加速を抑制するように前記車両の走行を制御する勾配走行制御部および前記車両の周辺状況を認識する周辺状況認識部により認識された先行車両に追従するように前記車両の走行を制御する追従走行制御部の作動をオン状態またはオフ状態に切り替える指示を受け付けさせ、
前記受け付けた指示により、前記勾配走行制御部および前記追従走行制御部の作動についてオン状態とする指示が受け付けられている場合、前記追従走行制御部の作動を優先させる、
車両制御プログラム。
【手続補正２】
【補正対象書類名】明細書
【補正対象項目名】０００５
【補正方法】変更
【補正の内容】
【０００５】
請求項１記載の発明は、車両の周辺状況を認識する周辺状況認識部（２２）と、下り勾配を前記車両が走行する場合に、下り勾配に起因する加速を抑制するように前記車両の走行を制御する勾配走行制御部（２６）と、前記周辺状況認識部により認識された先行車両に追従するように前記車両の走行を制御する追従走行制御部（２８）と、前記勾配走行制御部および前記追従走行制御部の作動をオン状態またはオフ状態に切り替える指示を受け付ける受付部（３０，３２）と、を備え、前記受付部により、前記勾配走行制御部および前記追従走行制御部の作動についてオン状態とする指示が受け付けられている場合、前記追従走行制御部の作動を優先する車両制御装置である。
【手続補正３】
【補正対象書類名】明細書
【補正対象項目名】０００７
【補正方法】変更
【補正の内容】
【０００７】
請求項３記載の発明は、請求項２記載の車両制御装置であって、前記先行車両が存在する状態において、前記車両が前記先行車両に追従しているときの車速が前記勾配走行制御部による制御が行われる上限速度以下である状態から、前記先行車両が存在しない状態に変化した後に、前記勾配走行制御部および前記追従走行制御部の作動についてオン状態とする指示が受け付けられている場合、前記勾配走行制御部の作動を優先するものである。
【手続補正４】
【補正対象書類名】明細書
【補正対象項目名】０００８
【補正方法】変更
【補正の内容】
【０００８】
請求項４記載の発明は、請求項１から３のうちいずれか１項記載の車両制御装置であって、前記追従走行制御部の作動を優先する場合、前記追従走行制御部の作動を優先することを示す情報を情報出力部に出力させる制御部（３０）を、更に備えるものである。
請求項５記載の発明は、請求項１から４のうちいずれか１項記載の車両制御装置であって前記受付部は、前記勾配走行制御部の作動と前記追従走行制御部の作動とを、それぞれオン状態またはオフ状態に切り替える指示を受け付け、前記受付部により、前記勾配走行制御部の作動と前記追従走行制御部の作動との双方についてオン状態とする指示が受け付けられている場合、前記追従走行制御部の作動を優先するものである。
【手続補正５】
【補正対象書類名】明細書
【補正対象項目名】０００９
【補正方法】変更
【補正の内容】
【０００９】
請求項６記載の発明は、車載コンピュータが、下り勾配を車両が走行する場合に、下り勾配に起因する加速を抑制するように前記車両の走行を制御する勾配走行制御部および前記車両の周辺状況を認識する周辺状況認識部により認識された先行車両に追従するように前記車両の走行を制御する追従走行制御部の作動をオン状態またはオフ状態に切り替える指示を受け付け、前記受け付けた指示により、前記勾配走行制御部および前記追従走行制御部の作動についてオン状態とする指示が受け付けられている場合、前記追従走行制御部の作動を優先する車両制御方法である。
【手続補正６】
【補正対象書類名】明細書
【補正対象項目名】００１０
【補正方法】変更
【補正の内容】
【００１０】
請求項７記載の発明は、車載コンピュータに、下り勾配を車両が走行する場合に、下り勾配に起因する加速を抑制するように前記車両の走行を制御する勾配走行制御部および前記車両の周辺状況を認識する周辺状況認識部により認識された先行車両に追従するように前記車両の走行を制御する追従走行制御部の作動をオン状態またはオフ状態に切り替える指示を受け付けさせ、前記受け付けた指示により、前記勾配走行制御部および前記追従走行制御部の作動についてオン状態とする指示が受け付けられている場合、前記追従走行制御部の作動を優先させる車両制御プログラムである。
【手続補正７】
【補正対象書類名】明細書
【補正対象項目名】００１１
【補正方法】変更
【補正の内容】
【００１１】
請求項１、５、６または７記載の発明によれば、前記勾配走行制御部と前記追従走行制御部との両方がオン状態の指示が受け付けられている場合は、前記追従走行制御部の作動を優先することにより、自車両が先行車両に過度に近づくことを防止することができる。